(57)【要約】【課題】  外観を損ねることなく、光源からの直接光の影響を受けずにセンサ等を配置でき、センサ等による影の発生を防止できる照明器具を提供する。【解決手段】  ＬＥＤユニット４０の下方に設けられた透光性パネル５０の内側面で、ＬＥＤユニット４０からの直接光が入射しない領域５１に、明るさセンサ２６１、人感センサ、リモコン受光部２６２の少なくとも一つのセンサ２６を設けた。このため、外観を損なうことなく、ＬＥＤユニット４０からの直接光による誤動作を防止して、センサ２６の機能を発揮することができるとともに、センサ２６がＬＥＤユニット４０からの照射光を遮って影を生じるのを防止できる。【選択図】  図５
2012155940.tif 000002
【特許請求の範囲】
【請求項１】
光源であるＬＥＤユニットと、
前記ＬＥＤユニットの下方に設けられた透光性のパネルと、
明るさセンサ、人感センサ、リモコン受光部の少なくとも一つのセンサと、を有し、
前記パネルの内側面で、前記ＬＥＤユニットからの直接光が入射しない領域に、前記センサを設けた照明器具。
【請求項２】
請求項１に記載の照明器具において、
前記ＬＥＤユニットが直線状に配置され、前記ＬＥＤユニットの長手方向側方に前記センサを配設した照明器具。
【請求項３】
請求項１または請求項２に記載の照明器具において、
複数の前記ＬＥＤユニットが直線状に配置され、前記ＬＥＤユニットの間に前記センサを配設した照明器具。
【発明の詳細な説明】
【技術分野】
【０００１】
本発明は、ＬＥＤ（発光ダイオード）を光源として用い、主に天井面に取り付けられて下方を照明する照明器具に関するものである。
【背景技術】
【０００２】
従来より、ＬＥＤ（発光ダイオード）を光源として用い、周囲の明るさを明るさセンサにより検知して光量を調整する照明器具が知られている（例えば、特許文献１参照）。
【０００３】
そして、明るさセンサが光源からの直接光を受光して、周囲の明るさを誤検知しないように、照明器具の外側に明るさセンサを設けることが考えられる。
【先行技術文献】
【特許文献】
【０００４】
【特許文献１】特開２０１０−１０３０２０号公報（図１）
【発明の概要】
【発明が解決しようとする課題】
【０００５】
しかしながら、前述したような従来の照明器具においては、明るさセンサが照明器具から外部に露出しているため、外観意匠上好ましくないという問題があった。
また、光源からの直接光を受光しないように、光源の照射方向とは逆の方向に明るさセンサを設ける場合もあるが、この場合には、明るさセンサの周辺に、光が当たらない暗い領域が形成されるという問題があった。
【０００６】
本発明は、従来の問題を解決するためになされたもので、外観を損ねることなく、光源からの直接光の影響を受けずに明るさセンサ等を配置でき、明るさセンサ等による影の発生を防止できる照明器具を提供することを目的とする。
【課題を解決するための手段】
【０００７】
本発明の照明器具は、光源であるＬＥＤユニットと、前記ＬＥＤユニットの下方に設けられた透光性のパネルと、明るさセンサ、人感センサ、リモコン受光部の少なくとも一つのセンサと、を有し、前記パネルの内側面で、前記ＬＥＤユニットからの直接光が入射しない領域に、前記センサを設けたものである。
【０００８】
また、本発明の照明器具は、前記ＬＥＤユニットが直線状に配置され、前記ＬＥＤユニットの長手方向側方に前記センサを配設したものである。
【０００９】
さらに、本発明の照明器具は、複数の前記ＬＥＤユニットが直線状に配置され、前記ＬＥＤユニットの間に前記センサを配設したものである。
【発明の効果】
【００１０】
本発明は、パネルの内側面で、ＬＥＤユニットからの直接光が入射しない領域にセンサを設けたので、外観を損なうことなく、センサの機能を発揮することができるとともに、センサがＬＥＤユニットからの照射光を遮ることによる影の発生を防止できるという効果を有する照明器具を提供できる。
【図面の簡単な説明】
【００１１】
【図１】本発明に係る実施形態の照明器具を下方から見た全体斜視図
【図２】本発明に係る実施形態の照明器具を下方から見た分解斜視図
【図３】本発明に係る実施形態の照明器具の中心を通る斜視図
【図４】本発明に係る実施形態の照明器具を上方から見た平面図
【図５】ロアーユニットの照射方向とセンサの検知方向との関係を示す斜視図
【図６】光照射方向とセンサの検出方向との関係を示す説明図
【図７】照明器具の変形例であり、２個のロアーユニットの照射方向が異なる場合を示す斜視図
【図８】照明器具の変形例であり、ロアーユニットの照射方向が上方である場合を示す側面図
【発明を実施するための形態】
【００１２】
以下、本発明に係る実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方，下側等）は床面側を意味する。
【００１３】
図１に示すように、本発明に係る実施形態の照明器具１０は、被取付面である天井面１１等に取り付けられて主に下方を照明するのに適する。
図２および図３に示すように、照明器具１０は、天井面１１に取り付けられている引っ掛けシーリング１２に取り付けるための取付金具２１を中央に有する、例えば正方形の板状の器具本体２０を有する。
【００１４】
器具本体２０の上側（すなわち、天井面１１側）には、アッパーユニット３０、上枠３２および上パネル３１が設けられている。また、器具本体２０の下側（すなわち、照明方向側）には、ＬＥＤユニットであるロアーユニット４０、反射部材である反射板６０が設けられており、反射板６０の下方には、受けた光を拡散する透光性のパネル５０が取り付けられる。
【００１５】
図４に示すように、アッパーユニット３０は、器具本体２０の上側において、四方外向きに設けられている。
また、ロアーユニット４０は、器具本体２０の下側において、２カ所に設けられており、内側へ光を照射するようになっている。図５にも示すように、２個のロアーユニット４０が長手方向に直線状に設けられており、ロアーユニット４０の長手方向側方にセンサ２６が設けられている。
センサ２６としては、明るさセンサ、人感センサ、熱センサ、信号送信装置からの信号を受信するための受信センサのうちの少なくとも一つが配設されている。
なお、ここでは、２個のロアーユニット４０の長手方向側方としての両ロアーユニット４０、４０の間に、センサ２６が設けられている場合について説明する。
【００１６】
図２および図３に示したように、ロアーユニット４０の下方には、パネル５０が着脱可能に取り付けられる。パネル５０は、照射された光を拡散するものであり、複数箇所に、光透過率が低いパネルカバー５１が設けられている。
図１に示すように、パネルカバー５１は、パネル５０において器具本体２０の中心に対して対称な端部付近の対向する２辺に沿って設けられている。
また、パネルカバー５１は、ロアーユニット４０が設けられている位置（図５参照）の下方に対応して設けられている。すなわち、パネルカバー５１は、パネル５０の内側面で、ＬＥＤユニットであるロアーユニット４０からの直接光が入射しない領域となる。
【００１７】
また、パネルカバー５１は、例えば、第１の孔５２および第２の孔５３を有する。図５に示すように、ここでは、２個のロアーユニット４０の間に、センサ２６が設けられているので、第１の孔５２および第２の孔５３は、センサ２６の位置に対応して、パネルカバー５１の中央に設けられる。
センサ２６としては、例えば明るさセンサ２６１を第１の孔５２に対応して設け、例えばリモコン受光部である受信センサ２６２を第２の孔５３に対応して設けることができる。
【００１８】
従って、図６に示すように、照明器具１０のロアーユニット４０から、照明器具１０の内部に向かって略水平に発せられた光Ｌ１は、反射板６０で下方に反射してパネル５０に入射して拡散する。これにより、パネル５０全体が光源となって下方を照明する。
このとき、ロアーユニット４０は、パネル５０において光透過率が低いパネルカバー５１の内側設けられており、明るさセンサ２６１や受信センサ２６２が２個のロアーユニット４０の間に設けられている。
【００１９】
このため、明るさセンサ２６１や受信センサ２６２はロアーユニット４０からの直接光を受けない。また、ロアーユニット４０の照射方向と、明るさセンサ２６１や受信センサ２６２の検知方向（検知領域Ｒ）とが略直角なので、ロアーユニット４０の照射光の影響を受けにくい。
【００２０】
一方、照明器具１０のアッパーユニット３０から照明器具１０の外側へ発せられた光Ｌ２は、一部は天井面１１と平行に照射されて，壁面Ｗを照明する。また、一部は上方へ照射されて天井面１１に当たり、下方へ反射して壁面Ｗを照明する。
さらに、一部は下方へ照射されて照明器具１０の上枠３２に当たって上方へ反射し，天井面１１を照明する。あるいは、さらに天井面１１で反射して壁面Ｗを照明する。
【００２１】
以上、説明した本発明に係る実施形態の照明器具１０によれば、ロアーユニット４０の下方に設けられた透光性のパネル５０の内側面で、ロアーユニット４０からの直接光が入射しない領域であるパネルカバー５１にセンサ２６を設けた。
このため、外観を損なうことなく、ロアーユニット４０からの直接光による誤動作を防止して、センサ２６の機能を発揮することができるとともに、センサ２６がロアーユニット４０からの照射光を遮って影を生じるのを防止できる。
【００２２】
また、ロアーユニット４０を直線状に配置し、ロアーユニット４０の長手方向側方にセンサ２６を配設したので、照明器具１０の外側にセンサ２６を配置する必要がなくなり、外観が向上する。
また、センサ２６がロアーユニット４０の側方に位置するため、反対側の側方にもセンサ２６を配設することができる。
【００２３】
さらに、複数のロアーユニット４０が直線状に配置され、ロアーユニット４０の間にセンサ２６を配設したので、ロアーユニット４０とセンサ２６とが一つなぎとなる。
このため、ロアーユニット４０の幅よりもセンサ２６が薄い場合、ロアーユニット４０の幅で照明器具１０を形成でき、薄型化を図ることができる。
【００２４】
なお、本発明の照明器具１０は、前述した実施形態に限定されるものでなく、適宜な変形，改良等が可能である。
例えば、前述した実施形態においては、照明器具１０に設けられているロアーユニット４０として、片側に２個のロアーユニット４０を直線状に配置して、同じ方向（内側）へ光を照射する場合について説明した。この他、図７に示すように、２個のロアーユニット４０が、互いに反対方向に光を照射する場合にも、同様に適用できる。
この場合には、明るさセンサ２６１や受信センサ２６２等のセンサは、照明器具の中央部に設けられることになる。
【００２５】
また、前述した実施形態においては、パネル５０のパネルカバー５１に設ける孔５２，５３が２個の場合を例示したが、センサ２６の数に対応して孔を２個以上設けることもできる。
【００２６】
また、前述した実施形態においては、片方のパネルカバー５１にのみ孔５２，５３を設けて明るさセンサ２６１および受信センサ２６２センサ等のセンサ２６を設けたが、両方のパネルカバー５１に分けてセンサ２６を設けることもできる。
【００２７】
また、前述した実施形態においては、ロアーユニット４０が光を水平方向へ照射する場合について説明したが、図８に示すように、光を天井面１１に向かって照射する照明器具１０Ｂについても適用できる。
この場合には、前述した反射板６０で光を下方へ反射させるものではなく、天井面１１に光を照射して、下方へ反射させて照明するものである。
【００２８】
また、前述した実施形態においては、ＬＥＤユニットであるロアーユニット４０の側方として、２個のロアーユニット４０の間にセンサ２６を設けた場合ついて説明したが、ロアーユニット４０の外側の側方にセンサを設けることもできる。
【符号の説明】
【００２９】
１０，１０Ｂ  照明器具
２６  センサ
２６１  明るさセンサ
２６２  受信センサ（リモコン受光部）
４０  ロアーユニット（ＬＥＤユニット）
５０  パネル
５１  パネルカバー（直接光が入射しない領域）
【図１】
2012155940.tif 000003
【図２】
2012155940.tif 000004
【図３】
2012155940.tif 000005
【図４】
2012155940.tif 000006
【図５】
2012155940.tif 000007
【図６】
2012155940.tif 000008
【図７】
2012155940.tif 000009
【図８】
2012155940.tif 000010